(57)【要約】【課題】操作者が高齢者などの不慣れな者であっても、電子メールを送ることにより、操作者の安否を問うことが可能な通信端末装置を提供する。【解決手段】制御部１１０は、インターフェイス１０１を通じて移動無線端末装置ＰＳを制御して電子メールを受信し、操作者の要求に応じて、この受信した電子メールの表示画像をビデオ信号としてインターフェイス１０８を通じてテレビ受像機ＴＶに出力し、上記電子メールを表示させる。また制御部１１０は、電子メールをテレビ受像機ＴＶに表示すると、上記電子メールの送信者宛ての電子メールを作成し、インターフェイス１０１を通じて移動無線端末装置ＰＳを制御して、作成した電子メールを送信制御するようにしたものである。【選択図】    図２
2004178413.tif 000002
【特許請求の範囲】
【請求項１】
無線通信により通信網に接続可能な無線通信装置と接続する第１の接続手段と、
画像を表示する表示装置と接続する第２の接続手段と、
ユーザからの要求を受け付ける入力手段と、
前記第１の接続手段を通じて無線通信装置を制御し、前記通信網から電子メールを取得する受信制御手段と、
この受信制御手段が取得した電子メールを記憶する記憶手段と、
前記入力手段を通じたユーザからの要求に応じて、前記記憶手段が記憶する電子メールを映像信号に変換し、前記第２の接続手段を通じて前記表示装置に表示させる表示制御手段と、
この表示制御手段が電子メールの表示制御を行った場合に、この電子メールの送信元を宛先とする電子メールを作成する作成手段と、
前記第１の接続手段を通じて前記無線通信装置を制御し、前記作成手段が作成した電子メールを送信させる送信制御手段とを具備することを特徴とする通信端末装置。
【請求項２】
さらに、前記受信制御手段が電子メールを取得した場合に、この旨を報知する報知手段を備えることを特徴とする請求項１に記載の通信端末装置。
【請求項３】
前記受信制御手段は、予め設定した時間が経過した場合に、前記第１の接続手段を通じて無線通信装置を制御し、前記通信網から電子メールを取得することを特徴とする請求項１または請求項２に記載の通信端末装置。
【請求項４】
前記受信制御手段は、前記入力手段を通じたユーザから要求があった場合に、前記第１の接続手段を通じて無線通信装置を制御し、前記通信網から電子メールを取得することを特徴とする請求項１または請求項２に記載の通信端末装置。
【請求項５】
前記受信制御手段は、前記無線通信装置が電子メールを受信した場合に、この電子メールを前記無線通信装置から取得することを特徴とする請求項１または請求項２に記載の通信端末装置。
【請求項６】
前記受信制御手段は、前記無線通信装置が自己宛ての電子メールがある旨の通知を受けた場合に、前記第１の接続手段を通じて無線通信装置を制御し、前記通信網から電子メールを取得することを特徴とする請求項１または請求項２に記載の通信端末装置。
【請求項７】
前記入力手段は、前記無線信号を受信して、この無線信号からユーザの要求を受け付けるものであって、
さらに、ユーザからの要求に応じた無線信号を送信するとともに、これに合わせて前記表示装置を遠隔操作するための無線信号を送信する無線送信手段を備えることを特徴とする請求項１または請求項２に記載の通信端末装置。
【請求項８】
さらに、前記記憶手段が記憶する電子メールの数が予め設定した閾値を越える場合に、電子メールに対応づけられた受信時刻の情報に基づいて、前記記憶手段が記憶する電子メールのうち、古い電子メールを消去する記憶制御手段を備えることを特徴とする請求項１または請求項２に記載の通信端末装置。
【請求項９】
さらに、前記記憶手段が記憶する電子メールの数が予め設定した閾値を越える場合に、電子メールに対応づけられた受信時刻の情報に基づいて、前記記憶手段が記憶する電子メールのうち、ユーザにより指定されたものを除く古い電子メールを消去する記憶制御手段を備えることを特徴とする請求項１または請求項２に記載の通信端末装置。
【発明の詳細な説明】
【０００１】
【発明の属する技術分野】
この発明は、ＰＨＳ（Ｐｅｒｓｏｎａｌ  Ｈａｎｄｙｐｈｏｎｅ  Ｓｙｓｔｅｍ）などの無線通信システムの移動無線端末装置を用いて、電子メールの送受信を行う通信端末装置に関する。
【０００２】
【従来の技術】
近時、ＰＨＳや携帯電話システムなどの移動通信システムの移動無線端末装置から、電子メールの送受信が可能になり、電子メールによるコミュニケーションが盛んになった。
【０００３】
一般に、上記移動無線端末装置は、携帯性が求められることより小型化が図られ、その表示部も小さなものとなっている。そして、高齢者のように、小さな文字を判読しにくい者でも、電子メールの読みとりや入力が可能なように、種々の工夫が施されているものの、依然として高齢者にとっては操作性が低いという問題がある。
【０００４】
これに対して従来は、移動無線端末装置で受信した電子メールを、テレビ受像機などの表示装置に転送し、これに表示する技術が考案されている（例えば、特許文献１）。
【０００５】
しかしながら、このような手法によって、受信した電子メールを高齢者が読みとることが可能となっても、移動無線端末装置の操作性の低さから、高齢者が返信の電子メールを迅速に送信することが少ない。このため、高齢者に電子メールを送信した親族などにあっては、その安否が迅速に確認できないという問題があった。
【０００６】
【特許文献１】
特開２００２−１６４９６８公報（第３−４頁、図１）
【０００７】
【発明が解決しようとする課題】
従来の通信端末装置では、高齢者などの不慣れな操作者の場合には、電子メールの返信が迅速になされないために、操作者の安否の確認を迅速に行うことができないという問題があった。
【０００８】
この発明は上記の問題を解決すべくなされたもので、操作者が高齢者などで不慣れなために、返信の電子メールを送らなくても、操作者の安否を問うことが可能な通信端末装置を提供することを目的とする。
【０００９】
【課題を解決するための手段】
上記の目的を達成するために、この発明は、無線通信により通信網に接続可能な無線通信装置と接続する第１の接続手段と、画像を表示する表示装置と接続する第２の接続手段と、ユーザからの要求を受け付ける入力手段と、第１の接続手段を通じて無線通信装置を制御し、通信網から電子メールを取得する受信制御手段と、この受信制御手段が取得した電子メールを記憶する記憶手段と、入力手段を通じたユーザからの要求に応じて、記憶手段が記憶する電子メールを映像信号に変換し、第２の接続手段を通じて表示装置に表示させる表示制御手段と、この表示制御手段が電子メールの表示制御を行った場合に、この電子メールの送信元を宛先とする電子メールを作成する作成手段と、第１の接続手段を通じて無線通信装置を制御し、作成手段が作成した電子メールを送信させる送信制御手段とを具備して構成するようにした。
【００１０】
上記構成の通信端末装置では、無線通信装置を制御して通信網から電子メールを取得した後、ユーザの要求に応じて上記電子メールを表示装置に表示させると、この電子メールの送信元を宛先とする電子メールを作成し、これを無線通信装置を制御して送信するようにしている。
【００１１】
したがって、上記構成の通信端末装置によれば、ユーザが高齢者などで不慣れなために、返信の電子メールを送らなくても、電子メールを表示させた場合には、上記電子メールの送信元宛ての電子メールが自動的に作成されて送信されるので、上記ユーザが電子メールを見ることが可能な状態にあるとの安否を確認することができる。
【００１２】
【発明の実施の形態】
以下、図面を参照して、この発明の一実施形態について説明する。
図１は、この発明の一実施形態に係わる通信端末装置が用いられる通信システムの全体の構成を示すものである。
【００１３】
パーソナルコンピュータＰＣは、例えば高齢者の親族などが利用するものであって、インターネットＮＷを通じて電子メールを送受信する機能を備えるものである。
【００１４】
プロバイダＩＳＰは、例えばＰＨＳ（Ｐｅｒｓｏｎａｌ  Ｈａｎｄｙｐｈｏｎｅ  Ｓｙｓｔｅｍ）などの移動通信システムを運用する通信事業者が運用するものであって、無線基地局装置ＢＳを通じて、インターネットＮＷと後述する移動無線端末装置ＰＳとの間で電子メールを送受信する機能を備える。
【００１５】
移動無線端末装置ＰＳは、例えば上記ＰＨＳで用いられる端末装置であって、無線基地局装置ＢＳを介して音声通信を行う機能の他に、電子メールを送受信する機能を備える。
【００１６】
また移動無線端末装置ＰＳは、後述する通信端末装置１００と接続するインターフェイスを有しており、このインターフェイスを通じた制御により、電子メールの受信制御、受信した電子メールの出力制御、送信する電子メールの入力制御、電子メールの送信制御などが可能である。
【００１７】
図２に、通信端末装置１００の構成を示すものである。
通信端末装置１００は、移動無線端末装置ＰＳを接続するためのインターフェイス（Ｉ／Ｆ）１０１と、スピーカ１０２と、発光ダイオード（ＬＥＤ）１０３と、複数のキースイッチなどからなる操作部１０４と、赤外線リモートコントロールスイッチボックス（以下、赤外線リモコンと略称する）ＲＣからの赤外線信号を受信する赤外線インターフェイス（Ｉ／Ｆ）１０５と、キーボード１０７を接続するためのインターフェイス（Ｉ／Ｆ）１０６と、テレビ受像機ＴＶの外部入力端子にビデオ信号を出力するためのビデオ出力端子（Ｉ／Ｆ）１０８と、電子メールや制御データなど種々のデータを記憶するための記憶部１０９と、当該通信端末装置１００の各部を統括して制御する制御部１１０とを備える。
【００１８】
赤外線リモコンＲＣは、図３に示すように、記憶部２０１、操作部２０２、制御部２０３、赤外線送信部２０４とを備える。
記憶部２０１は、通信端末装置１００を制御するための複数の制御信号コードと、テレビ受像機ＴＶの入力切り換えを行うための制御信号コードを記憶する。
【００１９】
テレビ受像機ＴＶを制御するための制御信号コードは、テレビ受像機ＴＶのメーカと機種ごとに異なるため、記憶部２０１には、図４に示すように、複数のメーカと機種についての制御信号コードを記憶しておく。
操作部２０２は、操作者から種々の要求を受け付けるもので、複数のキースイッチを備える。
【００２０】
制御部２０３は、上記操作部２０２を通じて操作者から受け付けた要求に応じて、上記記憶部２０１に記憶される制御信号コードを読み出し、このコードを赤外線送信部２０４に出力する。
【００２１】
また制御部２０３は、操作部２０２を通じて操作者から電子メールを表示させる要求があった場合に、この要求に応じた通信端末装置１００を制御するための制御信号コードと、テレビ受像機ＴＶの入力を外部入力に切り換えるための制御信号コードとを赤外線送信部２０４に出力する。
なお、制御部２０３は、図４に示すような制御コード信号のうち、いずれを用いるかは、予め操作部２０２を通じて操作者から指定されるものを用いる。
【００２２】
赤外線送信部２０４は、制御部２０３から与えられる制御信号コードを、赤外線信号を搬送波として用いて、通信端末装置１００およびテレビ受像機ＴＶに無線送信する。
【００２３】
次に、上記構成の通信端末装置の動作について説明する。
まず、移動無線端末装置ＰＳが新規に受信した電子メールがあることを、高齢者などの操作者に報知する制御動作について説明する。図５はこの制御動作を説明するためのフローチャートで、この制御は制御部１１０によってなされ、当該通信端末装置の電源が投入されると開始され、電源が切られるまで繰り返し実行される。
【００２４】
ステップ５ａにおいて制御部１１０は、移動無線端末装置ＰＳが新規に電子メールを受信しているか否か、およびプロバイダＩＳＰのメールサーバＳＶに電子メールの蓄積がある旨の通知を受けているか否か判定する。
【００２５】
ここで、制御部１１０は、移動無線端末装置ＰＳが新規に電子メールを受信していることを検出するか、あるいは移動無線端末装置ＰＳがプロバイダＩＳＰのメールサーバＳＶから電子メールの蓄積がある旨の通知を受けていることを検出した場合には、ステップ５ｅに移行し、一方、これらを検出していない場合には、ステップ５ｂに移行する。
【００２６】
ステップ５ｂにおいて制御部１１０は、操作部１０４、赤外線インターフェイス１０５あるいはキーボード１０７を通じて、高齢者などの操作者から電子メールの受信確認を求める要求がなされたか否かを判定する。
【００２７】
ここで、制御部１１０は、電子メールの受信確認を求める要求がなされたと判定した場合には、ステップ５ｄに移行し、一方、上記要求がなされていないと判定した場合には、ステップ５ｃに移行する。
【００２８】
ステップ５ｃにおいて制御部１１０は、自己が計時するタイマ値Ｔを参照し、予め設定した時間が経過しているか否かを判定する。
ここで、制御部１１０は、タイマ値Ｔが予め設定した時間を経過していると判定した場合には、ステップ５ｄに移行し、一方、タイマ値Ｔが予め設定した時間を経過していないと判定した場合には、ステップ５ａに移行する。
【００２９】
ステップ５ｄにおいて制御部１１０は、タイマ値Ｔをリセットした後、インターフェイス１０１を通じて移動無線端末装置ＰＳを制御して、プロバイダＩＳＰのメールサーバＳＶから、新規の電子メールを受信させ、ステップ５ａに移行する。
【００３０】
一方、ステップ５ｅにおいて制御部１１０は、移動無線端末装置ＰＳが新規に受信した電子メールをインターフェイス１０１を通じて読み出して、これを受信時刻の情報に対応づけて記憶部１０９に記録し、ステップ５ｆに移行する。
なお、ステップ５ｅでは、図６に示すようなサブルーチンプログラムを実行する。
【００３１】
まず、ステップ６ａにおいて制御部１１０は、記憶部１０９が記憶する受信した電子メールの数が予め設定した閾値を超えているか否かを判定する。ここで、予め設定した閾値を超えている場合には、ステップ６ｂに移行し、一方、上記閾値を越えていない場合には、当該処理を終了し、ステップ５ｆに移行する。
ステップ６ｂにおいて制御部１１０は、上記閾値を超えた数だけ、日付の古い順に電子メールを記憶部１０９から抽出し、ステップ６ｃに移行する。
【００３２】
ステップ６ｃにおいて制御部１１０は、ステップ６ｂにて抽出した電子メールに、操作者の要求により保護指定のフラグが付加された電子メールがあるか否かを判定する。
ここで保護指定のフラグが付加された電子メールがある場合には、ステップ６ｄに移行し、一方、保護指定のフラグが付加された電子メールがない場合には、ステップ６ｅに移行する。
【００３３】
ステップ６ｄにおいて制御部１１０は、保護指定のフラグが付加された電子メールに代わって、これまでに抽出した電子メールに次いで古い電子メールを抽出し、ステップ６ｃに移行する。
【００３４】
ステップ６ｅにおいて制御部１１０は、ステップ６ｂやステップ６ｄで抽出した、保護フラグの付加されていない電子メールを記憶部１０９から削除し、当該処理を終了して、ステップ５ｆに移行する。
【００３５】
このような図６に示した処理により、閾値を越えた分について、保護フラグが付加されていない受信電子メールが、制御部１１０によって記憶部１０９から削除される。
【００３６】
なお、保護フラグは、制御部１１０の制御により、操作部１０４、赤外線リモコンＲＣあるいはキーボード１０７を通じた操作者からの要求に応じて、指定された受信電子メールに付加され、この情報が記憶部１０９に記録される。
【００３７】
ステップ５ｆにおいて制御部１１０は、ステップ５ｅにて取得した新規の電子メールについてフィルタリング処理を行い、ステップ５ｇに移行する。このフィルタリング処理では、予め設定された電子メールアドレスを送信元とする電子メール以外を廃棄したり、あるいは予め設定した電子メールアドレスを送信元とする電子メールを廃棄する。
【００３８】
ステップ５ｇにおいて制御部１１０は、ステップ５ｆにて実施したフィルタリング処理の結果、報知すべき新規の電子メールがあるか否かを判定する。
ここで、制御部１１０は、報知すべき電子メールがあると判定した場合には、ステップ５ｈに移行し、一方、報知すべき電子メールがないと判定した場合には、ステップ５ａに移行する。
【００３９】
ステップ５ｈにおいて制御部１１０は、記憶部１０９から音声データを読み出し、これに基づく音声復号処理を実施して例えば「メールが届きました。」などの音声をスピーカ１０２を通じて拡声出力するとともに、発光ダイオード１０３を点滅制御し、ステップ５ａに移行する。
【００４０】
次に、操作者から、受信した電子メールを閲覧する要求があった場合に制御動作について説明する。図７はこの制御動作を説明するためのフローチャートで、この制御は制御部１１０によってなされ、操作部１０４、赤外線インターフェイス１０５あるいはキーボード１０７を通じて、操作者から電子メールの閲覧を求める要求がなされた場合に開始される。
【００４１】
まず、ステップ７ａにおいて制御部１１０は、記憶部１０９から未読の電子メールを読み出し、この電子メールを表示する映像をビデオ信号による映像信号に変換して、インターフェイス１０８を通じてテレビ受像機ＴＶに出力し、ステップ７ｂに移行する。
【００４２】
これによりテレビ受像機ＴＶには、上記電子メールが表示される。またここで、操作部１０４、赤外線インターフェイス１０５あるいはキーボード１０７を通じた操作者から要求により、一度に表示しきれない電子メールをスクロールして表示する。
【００４３】
ステップ７ｂにおいて制御部１１０は、ステップ７ａで表示した電子メールの送信元を宛先とする電子メールを作成し、ステップ７ｃに移行する。なお、この電子メールの本文には、例えば「あなたから送られた電子メールを受信者が開封しました。」などが挿入される。
【００４４】
ステップ７ｃにおいて制御部１１０は、インターフェイス１０１を通じて移動無線端末装置ＰＳに対して、ステップ７ｂで作成した電子メールを出力し、移動無線端末装置ＰＳの記憶部の送信電子メールを蓄積する領域に記録し、ステップ７ｄに移行する。
【００４５】
ステップ７ｄにおいて制御部１１０は、インターフェイス１０１を通じて移動無線端末装置ＰＳを制御して、ステップ７ｃで出力した電子メールを送信させ、ステップ７ｅに移行する。
【００４６】
ステップ７ｅにおいて制御部１１０は、操作部１０４、赤外線インターフェイス１０５あるいはキーボード１０７を通じて、操作者から返信電子メールの作成要求が与えられたか否かを判定する。
ここで、上記要求が与えられた場合には、ステップ７ｆに移行し、一方、上記要求が与えられなかった場合には、当該処理を終了する。
【００４７】
ステップ７ｆにおいて制御部１１０は、操作部１０４、赤外線インターフェイス１０５あるいはキーボード１０７を通じて、電子メールのタイトル、本文などの入力を受け付けて、電子メールを作成し、この作成した電子メールをステップ７ｃと同様にして、移動無線端末装置ＰＳに出力し、ステップ７ｇに移行する。なお、作成した電子メールの宛先は、ステップ７ａで表示制御した電子メールの送信元とする。
【００４８】
ステップ７ｇにおいて制御部１１０は、操作部１０４、赤外線インターフェイス１０５あるいはキーボード１０７を通じて、操作者から返信電子メールの送信要求が与えられたか否かを判定する。
ここで、上記要求が与えられた場合には、ステップ７ｈに移行し、一方、上記要求が与えられなかった場合には、当該処理を終了する。
【００４９】
ステップ７ｈにおいて制御部１１０は、インターフェイス１０１を通じて移動無線端末装置ＰＳを制御して、ステップ７ｆで出力した電子メールを送信させ、当該処理を終了する。
【００５０】
以上のように、上記構成の通信端末装置では、移動無線端末装置ＰＳを通じて電子メールを取得し、これを操作者が閲覧すると、その旨を上記電子メールの送信者宛てに電子メールで通知するようにしている。
【００５１】
したがって、上記構成の通信端末装置によれば、操作者が高齢者などの不慣れな者であっても、電子メールを送ることにより、操作者の安否を問うことができ、操作者が返信の電子メールを送信しなくてもよい。
【００５２】
また、赤外線リモコンＲＣは、操作部２０２を通じて操作者から電子メールを表示させる要求があった場合に、この要求に応じた通信端末装置１００を制御するための制御信号コードと、テレビ受像機ＴＶの入力を外部入力に切り換えるための制御信号コードとを赤外線送信するようにしている。
【００５３】
このため、操作者が赤外線リモコンＲＣを通じて電子メールを閲覧するための操作を行うだけで、テレビ受像機ＴＶの入力も外部入力に切り換えられて、電子メールが表示されることになるので、テレビ受像機ＴＶの入力切り換えを、別途操作する必要がなく、操作者にとっては非常に利便性が高い。
【００５４】
また受信したメールが所定の閾値に達すると、操作者から保護指定された電子メールを除いて、古いものから削除するようにしているので、記憶容量がいっぱいになることを防止するために、操作者が面倒な電子メールの整理を行う必要がなく、利便性が高い。
【００５５】
尚、この発明は上記実施の形態に限定されるものではない。
例えば、上記実施の形態では、移動無線端末装置ＰＳが電子メールの送受信機能を備えるものとして説明したが、これに限定されるものではない。
例えば、制御部１１０が、電子メールを送受信するソフトウェアを実装して電子メールの送受信制御を当該通信端末装置が実施し、移動無線端末装置ＰＳをデータ通信用の無線通信装置として利用する。
【００５６】
このように、電子メールの送受信機能を備えない移動無線端末装置ＰＳとしては、ＰＣカード型の端末装置が製品化されている。このような端末装置を利用することを想定し、インターフェイス１０１をＰＣカードスロットとしてもよい。
【００５７】
また、移動無線端末装置ＰＳが自己宛ての電子メールがメールサーバＳＶにあることを通知された後に、操作者の操作により電子メールを受信するサービス形態の場合にも対応することができる。
【００５８】
このようなサービス形態の場合には、制御部１１０が図５のステップ５ａにて上記通知の有無を確認し、通知があった場合にインターフェイス１０１を通じて移動無線端末装置ＰＳを制御して上記電子メールを受信させ、これを記憶部１０９に記録するようにすればよい。
【００５９】
そして、上記実施の形態では、赤外線リモコンＲＣを通じた電子メールの閲覧要求で、テレビ受像機ＴＶの入力も外部入力に切り換えるようにしたが、これに限定されるものではない。
【００６０】
例えば、テレビ受像機ＴＶを制御するための赤外線信号を発する赤外線送信部を通信端末装置１００に備え、操作部１０４、キーボード１０７あるいは赤外線リモコンＲＣを通じた電子メールの閲覧要求で、制御部１１０が上記赤外線送信部を制御して、テレビ受像機ＴＶの入力を外部入力に切り換える制御信号を送信するようにしてもよい。
【００６１】
さらに上記実施の形態では、移動無線端末装置ＰＳとして、ＰＨＳの端末装置を例に挙げて説明したが、携帯電話システムの無線端末装置や、無線ＬＡＮで用いられる無線端末装置であってもよい。
その他、この発明の要旨を逸脱しない範囲で種々の変形を施しても同様に実施可能であることはいうまでもない。
【００６２】
【発明の効果】
以上述べたように、この発明では、無線通信装置を制御して通信網から電子メールを取得した後、操作者の要求に応じて上記電子メールを表示装置に表示させると、この電子メールの送信元を宛先とする電子メールを作成し、これを無線通信装置を制御して送信するようにしている。
【００６３】
したがって、この発明によれば、操作者が高齢者などで不慣れなために、返信の電子メールを送らなくても、電子メールを表示させた場合には、上記電子メールの送信元宛ての電子メールが自動的に作成されて送信されるので、上記操作者が電子メールを見ることが可能な状態にあるとの安否を確認することが可能な通信端末装置を提供できる。
【図面の簡単な説明】
【図１】この発明に係わる通信端末装置が利用される通信システムの構成を示す図。
【図２】図１に示した通信端末装置の構成を示す回路ブロック図。
【図３】図１に示した赤外線リモコンの構成を示す回路ブロック図。
【図４】図３に示した赤外線リモコンの記憶部に記憶されるテレビ受像機ＴＶを制御するための制御信号コードを示す図。
【図５】図１に示した通信端末装置の電子メールを取得する動作などを説明するためのフローチャート。
【図６】図５に示したステップ５ｅで実施されるサブルーチンプログラムを説明するためのフローチャート。
【図７】図１に示した通信端末装置が取得した電子メールを表示する動作などを説明するためのフローチャート。
【符号の説明】
１００…通信端末装置
１０１…インターフェイス（Ｉ／Ｆ）
１０２…スピーカ
１０３…発光ダイオード（ＬＥＤ）
１０４…操作部
１０５…赤外線インターフェイス（Ｉ／Ｆ）
１０６…インターフェイス（Ｉ／Ｆ）
１０７…キーボード
１０８…インターフェイス（Ｉ／Ｆ）
１０９…記憶部
１１０…制御部
２０１…記憶部
２０２…操作部
２０３…制御部
２０４…赤外線送信部
ＢＳ…無線基地局装置
ＩＳＰ…プロバイダ
ＳＶ…メールサーバ
ＮＷ…インターネット
ＰＣ…パーソナルコンピュータ
ＰＳ…移動無線端末装置
ＲＣ…赤外線リモコン
ＴＶ…テレビ受像機
【図１】
2004178413.tif 000003
【図２】
2004178413.tif 000004
【図３】
2004178413.tif 000005
【図４】
2004178413.tif 000006
【図５】
2004178413.tif 000007
【図６】
2004178413.tif 000008
【図７】
2004178413.tif 000009